(57)【要約】      （修正有）【課題】収容する楽器を決められた温度分布にする楽器用収容具を提供する。【解決手段】楽器用収容具１を閉じると、２つの収容具本体１０の収容部１１が互いに対向する位置に移動し、楽器に接してその楽器を保持する。収容部１１は、第１伝熱領域１１１、第２伝熱領域１１２、および第３伝熱領域１１３という３つの領域に分けられ、楽器は、各伝熱領域にそれぞれ設けられた伝熱材によって、それぞれ対応する領域を加熱される。制御部により各伝熱材の伝熱量が調節され、楽器の温度分布は決められた目標の温度分布に近づく。【選択図】図１
2015060103.tif 000002
【特許請求の範囲】
【請求項１】
楽器を収容する収容具本体と、
前記収容具本体に収容された前記楽器の複数の領域を、それぞれ異なる温度に調節する温度調節手段と
を有する楽器用収容具。
【請求項２】
前記楽器は、演奏時に演奏者に接して体温が伝えられる部位を有する楽器であり、
前記温度調節手段は、前記楽器に熱を伝える伝熱材を有し、前記部位に近いほど当該楽器の温度が高温になるように当該伝熱材の伝熱量を調節する
ことを特徴とする請求項１に記載の楽器用収容具。
【請求項３】
前記伝熱材は、前記楽器の形状に沿って前記収容具本体に敷設された部材であり、熱を伝える位置が前記部位に近いほど互いに密に配列されている
ことを特徴とする請求項２に記載の楽器用収容具。
【請求項４】
前記伝熱材は、前記楽器の形状に沿って前記収容具本体に敷設された部材であり、熱を伝える位置が前記部位に近いほど発熱量が大きい
ことを特徴とする請求項２に記載の楽器用収容具。
【請求項５】
前記部位は、演奏時に前記演奏者の口に接して当該口から息が吹き込まれる吹込口であり、
前記温度調節手段は、前記部位の温度が前記演奏者の口内の温度に応じた温度になるように、当該伝熱材の伝熱量を調節する
ことを特徴とする請求項２〜４のいずれか１項に記載の楽器用収容具。
【発明の詳細な説明】
【技術分野】
【０００１】
本発明は、楽器の温度を調節する楽器用収容具に関する。
【背景技術】
【０００２】
楽器には演奏時の温度に影響を受けるものがある。例えば、木管楽器や金管楽器などの管楽器は、冬季など気温の低い場合、演奏者が吹き出す息によって管内が暖まるまで音が鳴り難かったり、音程が外れたりすることがある。このような問題を解決するため、楽器の温度を調節する技術が開発されている。例えば、特許文献１には、ケース内部を２５℃乃至３０℃の温度領域で保温する管楽器用ケースが記載されている。
【先行技術文献】
【特許文献】
【０００３】
【特許文献１】公開実用新案平２−６９３９４号公報
【発明の概要】
【発明が解決しようとする課題】
【０００４】
ところで、例えば管楽器の場合、演奏者の体温が口から直接、或いは口から吹く息によって楽器に伝えられて安定した音が鳴る状態になるときには、管楽器内に吹込口（マウスピース部）から遠ざかるにしたがって所定の勾配となる温度分布が生じている。この温度分布に合わせて楽器が設計されている場合には、演奏時に楽器がこの温度分布になっていることが望ましい。
【０００５】
しかし、特許文献１に記載の技術では、ケース内部が一律２５℃乃至３０℃の温度領域で保温されるので、楽器に所期の温度分布が生じず、設計された音程の音が鳴らない可能性がある。
【０００６】
本発明の目的は、収容する楽器を決められた温度分布にする楽器用収容具を提供することである。
【課題を解決するための手段】
【０００７】
上述した課題を解決するため、本発明に係る楽器用収容具は、楽器を収容する収容具本体と、前記収容具本体に収容された前記楽器の複数の領域を、それぞれ異なる温度に調節する温度調節手段とを有する。
【０００８】
好ましくは、前記楽器は、演奏時に演奏者に接して体温が伝えられる部位を有する楽器であり、前記温度調節手段は、前記楽器に熱を伝える伝熱材を有し、前記部位に近いほど当該楽器の温度が高温になるように当該伝熱材の伝熱量を調節するとよい。
【０００９】
また、好ましくは、前記伝熱材は、前記楽器の形状に沿って前記収容具本体に敷設された部材であり、熱を伝える位置が前記部位に近いほど互いに密に配列されているとよい。
【００１０】
また、好ましくは、前記伝熱材は、前記楽器の形状に沿って前記収容具本体に敷設された部材であり、熱を伝える位置が前記部位に近いほど発熱量が大きいとよい。
【００１１】
また、好ましくは、前記部位は、演奏時に前記演奏者の口に接して当該口から息が吹き込まれる吹込口であり、前記温度調節手段は、前記部位の温度が前記演奏者の口内の温度に応じた温度になるように、当該伝熱材の伝熱量を調節するとよい。
【発明の効果】
【００１２】
本発明によれば、収容する楽器を決められた温度分布にする楽器用収容具を提供することができる。
【図面の簡単な説明】
【００１３】
【図１】本発明の第１実施形態に係る楽器用収容具の外観を示す斜視図。
【図２】図１の矢視II−IIの断面図を示す図。
【図３】楽器用収容具の収容部に収容される楽器の一例と、その温度分布とを示す図。
【図４】楽器用収容具に備えられている温度調節手段の構成を示す図。
【図５】本発明の第２実施形態に係る楽器用収容具の外観を示す図。
【図６】図５の矢視VI−VIの断面図を示す図。
【図７】第２実施形態に係る楽器用収容具に収容される楽器の一例と、その楽器に沿って敷設される伝熱材の密度分布と、伝熱材によって加熱された楽器の温度分布とを示す図。
【図８】第２実施形態に係る楽器用収容具に備えられている温度調節手段の構成を示す図。
【図９】本発明の第３実施形態に係る楽器用収容具の外観を示す図。
【図１０】第３実施形態に係る楽器用収容具に収容される楽器の一例と、その楽器に沿って敷設される伝熱材の密度分布および電気抵抗の分布と、伝熱材によって加熱された楽器の温度分布とを示す図。
【図１１】変形例に係る楽器用収容具に備えられている温度調節手段の構成を示す図。
【図１２】変形例に係る楽器用収容具に備えられている温度調節手段の構成を示す図。
【図１３】変形例に係る楽器の一例と、その温度分布とを示す図。
【図１４】変形例に係る楽器用収容具の外観を示す斜視図。
【発明を実施するための形態】
【００１４】
１．第１実施形態
図１は、本発明の第１実施形態に係る楽器用収容具１の外観を示す斜視図である。図１に示すように、楽器用収容具１は、外箱部１０１と、外箱部１０１の内側に充填された充填材１０２とをそれぞれ備えた２つの収容具本体１０を開閉可能に組み合わせた構成になっている。充填材１０２には、楽器用収容具１に収容される楽器２の形状に沿った窪みである収容部１１が設けられている。楽器用収容具１を閉じると、２つの収容具本体１０の収容部１１が互いに対向する位置に移動し、楽器２に接してその楽器２を保持する。この収容部１１に収容される楽器２は金管楽器であり、例えばコルネットやトランペットなどである。２つの収容具本体１０のいずれかには、持ち運ぶ際に使う把手Ｇが設けられている。また、楽器用収容具１は、２つの収容具本体１０のいずれかに電源１４を有している。電源１４は、図示せぬ商用電源から電力を供給するためのプラグ１４１を有している。
【００１５】
収容部１１は、第１伝熱領域１１１、第２伝熱領域１１２、および第３伝熱領域１１３という３つの領域に分けられる。収容部１１に楽器２が収容された際に、これら３つの領域においてはそれぞれ異なる設定温度で楽器を加熱する。
【００１６】
図２は、図１の矢視II−IIの断面図を示す図である。収容部１１には、楽器２を収容する窪みに沿って伝熱材１３が敷設されている。この伝熱材１３は、例えば電力が供給される（通電する）と発熱する電熱線であり、第１伝熱領域１１１、第２伝熱領域１１２、および第３伝熱領域１１３のそれぞれで異なる電気回路を構成している。それぞれの伝熱材１３には電源１４から個別に電力が供給されており、その供給電力はそれぞれ個別に制御されている。
【００１７】
図３は、楽器用収容具１の収容部１１に収容される楽器２の一例と、その温度分布とを示す図である。図３（ａ）に示すように、楽器２は、演奏者が口を接触させて息を吹き込む吹込口であるマウスピース２１０と、その息が楽器内を通って吐き出される部位であるベル２３０とを有する。楽器２は、第１領域２１、第２領域２２、および第３領域２３の３つの領域に分けられる。マウスピース２１０を含む領域が第１領域２１であり、ベル２３０を含む領域が第３領域２３である。第２領域２２は、第１領域２１と第３領域２３との間の領域である。第１領域２１、第２領域２２、および第３領域２３は、楽器２が楽器用収容具１に収容されるときに、それぞれ、収容部１１の第１伝熱領域１１１、第２伝熱領域１１２、および第３伝熱領域１１３に接触する。
【００１８】
図３（ｂ）に示すように、楽器２の第１領域２１、第２領域２２、および第３領域２３の３つの領域にはそれぞれ目標温度が設定されている。各目標温度は、それぞれ異なっており、第１領域２１が最も高く、第３領域２３が最も低く設定されている。各目標温度は、後述する制御部１９の記憶装置に記憶されている。マウスピース２１０は演奏時に演奏者の体温が最初に伝えられる部位であり、ベル２３０はそのマウスピースから最も遠い部位であるので、第１領域２１、第２領域２２、および第３領域２３の３つの領域の目標温度は、それぞれマウスピース２１０に近いほど高温になり、ベル２３０に近いほど低音になるように設定されている。
【００１９】
図４は、楽器用収容具１に備えられている温度調節手段の構成を示す図である。楽器用収容具１は、温度調節手段として、上述した伝熱材１３および電源１４のほか、制御部１９、温度センサ１５を有する。温度センサ１５は、収容部１１に収容された楽器２の温度を測定するセンサである。温度センサ１５は、第１温度センサ１５１、第２温度センサ１５２、および第３温度センサ１５３とを有する。第１温度センサ１５１は、第１伝熱領域１１１に設けられ、楽器２の第１領域２１の温度を測定する。第２温度センサ１５２は、第２伝熱領域１１２に設けられ、楽器２の第２領域２２の温度を測定する。第３温度センサ１５３は、第３伝熱領域１１３に設けられ、楽器２の第３領域２３の温度を測定する。
【００２０】
制御部１９は、ＣＰＵ（Central Processing Unit）などの演算処理装置や、ＲＯＭ（Read Only Memory）、ＲＡＭ（Random Access Memory）などの記憶装置を備え、これら記憶装置に記憶されたプログラムを実行する。制御部１９は、温度センサ１５から測定された温度に応じて、電源１４の出力をフィードバック制御する。伝熱材１３は、第１伝熱材１３１、第２伝熱材１３２、および第３伝熱材１３３を有する。第１伝熱材１３１、第２伝熱材１３２、および第３伝熱材１３３は、それぞれ第１伝熱領域１１１、第２伝熱領域１１２、および第３伝熱領域１１３に設けられており、電源１４との間でそれぞれ異なる電気回路を構成する。
【００２１】
電源１４は、第１伝熱材１３１、第２伝熱材１３２、および第３伝熱材１３３のそれぞれが構成する電気回路に個別に電力を供給する。制御部１９は、例えば、第１温度センサ１５１で測定した温度が、図３（ｂ）に示した第１領域２１の目標温度より低い場合に、電源１４を制御して、第１伝熱材１３１へ供給する電力を大きくする。これにより、第１温度センサ１５１で測定する温度が第１領域２１の目標温度に近づく。このような目標温度に近づけるような加熱制御が、第２伝熱材１３２、および第３伝熱材１３３へ供給する電力に対しても行われる。その結果、第１伝熱材１３１、第２伝熱材１３２、および第３伝熱材１３３の伝熱量が調節され、楽器２の温度分布は、図３（ｂ）に示した目標温度分布に近づく。
【００２２】
このように、制御部１９が温度センサ１５の測定値に応じて電源１４を制御し、伝熱材１３に供給する電力を増減させることにより、収容された楽器２の温度分布は予め決められた温度分布に近づく。そのため、楽器用収容具１は、例えば演奏者が楽器２を取り出したときなどに、その楽器２を、演奏に適するように決められた温度分布にしておくことができる。
【００２３】
２．第２実施形態
図５は、本発明の第２実施形態に係る楽器用収容具１ａの外観を示す図である。また、図６は、図５の矢視VI−VIの断面図を示す図である。以下、第２実施形態の楽器用収容具１ａの各構成は、上述した第１実施形態の楽器用収容具１における対応する構成の符号に添字「ａ」を付した符号を用いて説明する。第２実施形態の楽器用収容具１ａは、主に以下の３点において、第１実施形態の楽器用収容具１と異なる。
【００２４】
第１に、収容部１１ａは、複数の領域に分けられて領域ごとに制御されるようにはなっていない。第２に、楽器２ａを収容する収容部１１ａに沿って敷設される伝熱材１３ａは、１本の電熱線であり、電源１４ａから電力を供給される１つの電気回路を構成している。また第３に、伝熱材１３ａは、図６に示すように、敷設される密度が一様でない。
【００２５】
図７は、楽器用収容具１ａに収容される楽器２ａの一例と、その楽器２ａに沿って敷設される伝熱材１３ａの密度分布と、伝熱材１３ａによって加熱された楽器２ａの温度分布とを示す図である。図７（ａ）に示す矢線は、楽器２ａのマウスピース２１０ａのうち、演奏者の口に接する部分である端部ｘ０から、ベル２３０ａへ向けて引いた矢線であり、ベル２３０ａの端部ｘ１を通るものである。したがって、この矢線は、端部ｘ０からの距離を表す。
【００２６】
図８は、楽器用収容具１ａに備えられている温度調節手段の構成を示す図である。第２実施形態の温度調節手段は、伝熱材１３ａおよび電源１４ａのほか、制御部１９ａ、温度センサ１５ａを有するが、上述したように伝熱材１３ａは複数に分かれていない１本の電熱線である。また、温度センサ１５ａも１つであり、この温度センサ１５ａは、収容部１１ａの決められた位置に設けられて、接触する楽器２ａの温度を測定する。制御部１９ａは、温度センサ１５ａで測定された温度と、予め決められた目標温度との差に応じて、伝熱材１３ａへ供給する電力の大きさを決め、この電力を伝熱材１３ａへ供給するように電源１４ａを制御する。これにより、伝熱材１３ａの伝熱量が調節され、温度センサ１５ａで測定する温度が上述した目標温度に近づく。
【００２７】
ここで楽器２ａを収容する収容部１１ａに敷設された伝熱材１３ａは、ほぼ均一な材料でできた１本の電熱線であるため、電源１４ａから電力を供給されて発生する熱量はどの部位でもほぼ均等である。そして、収容部１１ａが楽器２ａに接して熱を伝える面積のうち、伝熱材１３ａが占める面積の割合を「密度」として表すと、この密度は、上述した矢線に沿って図７（ｂ）に示すように変化する。
【００２８】
すなわち、伝熱材１３ａは、楽器２ａに熱を伝える位置が端部ｘ０に近づくほどその密度が密になり、遠ざかるほど疎になるように、収容部１１ａにおいて敷設されている。そして、伝熱材１３ａの密度が高いほど楽器２ａに伝わる熱量が大きくなるので、楽器用収容具１ａによって加熱された楽器２ａの温度分布は、図７（ｃ）に示すように、ｘ０に近づくほど高温になる。
【００２９】
このように、線状の部材である伝熱材１３ａは、楽器２ａに対して熱を伝える位置が予め楽器２ａのマウスピース２１０ａを収容する部分に近づくほど互いに密になり、遠ざかるほど疎になるように配列されているので、制御部１９ａが電源１４ａを制御して伝熱材１３ａに電力を供給することにより、収容された楽器２ａの温度分布は予め決められた温度分布に近づく。そのため、楽器用収容具１ａは、例えば演奏者が楽器２ａを取り出したときなどに、その楽器２ａを、演奏に適するように決められた温度分布にしておくことができる。
【００３０】
３．第３実施形態
図９は、本発明の第３実施形態に係る楽器用収容具１ｂの外観を示す図である。以下、
第３実施形態の楽器用収容具１ｂの各構成には、上述した第１実施形態の楽器用収容具１における対応する構成の符号に添字「ｂ」を付した符号を用いて説明する。第３実施形態の楽器用収容具１ｂは、主に以下の３点において、第１実施形態の楽器用収容具１と異なる。
【００３１】
第１に、収容部１１ｂは、複数の領域に分けられて領域ごとに制御されるようにはなっていない。第２に、楽器２ｂを収容する収容部１１ｂに沿って敷設される伝熱材１３ｂは、１本の電熱線であり、電源１４ｂから電力を供給される１つの電気回路を構成している。また第３に、伝熱材１３ｂは、電気抵抗が一様でない。
【００３２】
図１０は、第３実施形態に係る楽器用収容具１ｂに収容される楽器２ｂの一例と、その楽器２ｂに沿って敷設される伝熱材１３ｂの密度分布および電気抵抗の分布と、伝熱材１３ｂによって加熱された楽器２ｂの温度分布とを示す図である。図１０（ａ）の矢線は、マウスピース２１０ｂの端部ｘ０からの距離を表す。
【００３３】
ここで楽器２ｂを収容する収容部１１ｂに敷設された伝熱材１３ｂは、楽器２ｂに対して熱を伝える位置が端部ｘ０に接触する部分に近づくほど電気抵抗が高くなるように構成された１本の電熱線である。伝熱材１３ｂの密度および電気抵抗の矢線に沿った分布を図示すると、図１０（ｂ）に示すようになる。
【００３４】
すなわち、伝熱材１３ｂの密度は、端部ｘ０から端部ｘ１にわたってほぼ一定である。しかし、伝熱材１３ｂの電気抵抗は、楽器２ｂに対して熱を伝える位置が端部ｘ０に近づくほど高くなり、遠ざかるほど低くなるように、その材質や太さなどが定められている。そして、伝熱材１３ｂの電気抵抗が高いほど発熱量が大きくなり、楽器２ｂに伝わる熱量が大きくなるので、楽器用収容具１ｂによって加熱された楽器２ｂの温度分布は、図１０（ｃ）に示すように、ｘ０に近づくほど高温になる。
【００３５】
このように、予め伝熱材１３ｂは、楽器２ｂのマウスピース２１０ｂを収容する部分に近づくほど電気抵抗が高くなり、遠ざかるほど低くなるように構成されているので、制御部１９ｂが電源１４ｂを制御して伝熱材１３ｂに電力を供給することにより、伝熱材１３ｂの伝熱量が調節され、収容された楽器２ｂの温度分布は予め決められた温度分布に近づく。そのため、楽器用収容具１ｂは、例えば演奏者が楽器２ｂを取り出したときなどに、その楽器２ｂを、演奏に適するように決められた温度分布にしておくことができる。
【００３６】
４．変形例
以上が実施形態の説明であるが、この実施形態の内容は以下のように変形し得る。また、以下の変形例を組み合わせてもよい。
（１）上述した実施形態において、熱伝導は伝導伝熱のみに限定されていたが、放射伝熱や対流伝熱によって楽器２が加熱されてもよい。例えば、伝熱材１３にハロゲンランプを用いると、楽器２は伝熱材１３から放射される光によって加熱され、演奏に適するように決められた温度分布になる。この場合、ベル２３０よりマウスピース２１０に近い位置にハロゲンランプを配置することで、楽器２をマウスピース２１０に近づくほど高温になる温度分布にすればよい。
【００３７】
また、伝熱材１３に発熱体と送風機を用いることにより、加熱された気体を楽器２の表面に送ることにより、楽器２の温度分布を調節してもよい。発熱の方法は上述したように電気抵抗によるものであってもよいが、燃焼や種々の発熱反応など化学的なものを用いてもよい。この場合、楽器２は対流伝熱によって加熱される。
【００３８】
（２）伝熱材１３は、電熱線のほか、管などに熱媒体を流したものを用いてもよい。熱媒体には、空気や水蒸気などの気体であってもよいし、水やオイルなどの液体であってもよい。
【００３９】
（３）上述した実施形態において、制御部１９は、フィードバック制御を行なって楽器２の温度分布を調節していたが、制御はこれに限られない。例えば、制御部１９は、決められた熱量を供給するように電源１４を制御してもよい。この場合、温度センサ１５はなくてもよい。
【００４０】
（４）上述した実施形態において、伝熱材１３は楽器２を加熱することで楽器２の温度分布を演奏に適するように決められた温度分布に調節していたが、楽器２を冷却してもよい。例えば、夏場など外気温が比較的高い場合に、伝熱材１３によってマウスピース２１０側よりもベル２３０側が低温になるように冷却することにより、楽器２を所期の温度分布に調節してもよい。冷却の方法は、熱媒体を用いてもよいし、吸熱反応を起こす物質を混合してもよい。またペルティエ素子のような熱電素子を用いて楽器２を冷却してもよい。
【００４１】
（５）上述した第１実施形態において、収容部１１の領域の区分は３つであったが、２つでも４つ以上でもよい。要するに、収容具本体１０に収容された楽器２の複数の領域が、それぞれ異なる温度に調節されればよい。
【００４２】
（６）上述した第１実施形態において、楽器用収容具１は、外箱部１０１と、外箱部１０１の内側に充填された充填材１０２とを備えた収容具本体１０を有していたが、外箱部１０１はなくてもよい。また、上述した第１実施形態において、楽器用収容具１は、２つの収容具本体１０を開閉可能に組み合わせた構成になっていたが、１つの袋状の収容具本体１０によって構成されていてもよい。
【００４３】
例えば、収容具本体１０として不定形の布やシートを用いてもよい。この場合、この布に楽器２を収容し、この布に敷設された伝熱材１３で楽器２の表面を加熱すればよい。布は袋状に形成されていてもよいし、収容時に利用者によって楽器２の表面に巻きつけられてもよい。
【００４４】
（７）上述した実施形態において、楽器２の目標温度は、制御部１９の記憶装置に記憶されていたが、環境に応じて書き換えられてもよい。
【００４５】
図１１は、この変形例に係る楽器用収容具１ｃに備えられている温度調節手段の構成を示す図である。図１１に示すように、楽器用収容具１ｃは、外部装置として温度指示装置３を用いる。また、楽器用収容具１ｃは、温度調節手段として、伝熱材１３ｃ、電源１４ｃ、制御部１９ｃ、および温度センサ１５ｃを有するほか、通信部１６を有する。通信部１６は、温度指示装置３との間で情報を通信するインターフェースである。
【００４６】
温度指示装置３は、制御部３１と、体温計３２と、通信部３３とを有する。体温計３２はサーミスタや赤外線受光素子などを用いて演奏者の体温を測定するセンサである。通信部３３は、楽器用収容具１ｃとの間で情報を通信するインターフェースである。制御部３１はＣＰＵなどの演算処理装置や、ＲＯＭ、ＲＡＭなどの記憶装置を備え、これら記憶装置に記憶されたプログラムを実行して温度指示装置３の各部を制御する。
【００４７】
体温計３２は演奏者の口内の温度を測定し、制御部３１は測定した温度を示す情報を生成して、通信部３３によりこの情報を楽器用収容具１ｃへ送信する。楽器用収容具１ｃの通信部１６が演奏者の口内の温度を示す情報を受信すると、制御部１９ｃは、マウスピースなどの吹込口の温度がこの口内の温度に応じた温度になるように、記憶装置に記憶されている吹込口の目標温度を書き換える。このとき、書き換えられた吹込口の目標温度に応じて、楽器２のうち、他の部位の目標温度が書き換えられてもよい。これにより、演奏者の体調に応じて楽器２の温度分布が調節される。
【００４８】
（８）楽器２は、決められた時刻に目標の温度分布になるように加熱されてもよい。
図１２は、この変形例に係る楽器用収容具１ｄに備えられている温度調節手段の構成を示す図である。楽器用収容具１ｄは、温度調節手段として、伝熱材１３ｄ、電源１４ｄ、制御部１９ｄ、および温度センサ１５ｄを有するほか、計時部１７を有する。計時部１７は、発振回路によって時間を計測するタイマである。制御部１９ｄは、演奏時刻と、その時刻に楽器２がなっておくべき目標の温度分布とを記憶装置に記憶している。制御部１９ｄは、この記憶装置から、演奏時刻および目標の温度分布を読み出し、計時部１７に現在時刻を問い合わせる。そして、温度センサ１５ｄから現在の楽器２の温度を示す情報を取得して、演奏時刻に楽器２の温度が目標の温度分布に近づくように、電源１４ｄを制御して伝熱材１３ｄの発熱量を調節する。これにより、楽器２は、決められた時刻に目標の温度分布になる。
【００４９】
（９）楽器２の目標温度は、自然放冷の時間を加味して設定されてもよい。例えば、楽器２は楽器用収容具１から出した後、演奏者が舞台に立ってこの楽器２を演奏するまでに時間がかかることがあり、この間に自然放冷することがある。この場合、自然放冷によって散逸する熱量に見合うだけ、目標温度を高めに設定してもよい。
【００５０】
（１０）楽器用収容具１が楽器２を加熱することによる楽器２の昇温速度に制限を設けてもよい。この場合、例えば、制御部１９は、温度センサ１５が測定する温度の経時変化を監視して、その昇温速度が閾値を超えた場合に加熱を停止するように電源１４を制御してもよい。これにより、楽器２が損傷する可能性が低減する。
【００５１】
（１１）電源１４は、電力を供給する蓄電池を有していてもよい。この場合、制御部１９が制御する電力は、蓄電池から伝熱材１３へ供給されてもよい。
【００５２】
（１２）上述した実施形態において、楽器２は、演奏時の状態のまま収容されるものであったが、複数の部品に分解された状態で収容されるものであってもよい。この場合、演奏時に各部品が組み立てられればよい。
図１３は、この変形例に係る楽器２ｅの一例と、その温度分布とを示す図である。楽器２ｅは、マウスピース２１ｅ、管２２ｅ、管２３ｅ、管２４ｅ、およびベル２５ｅの５つの部品を有している。マウスピース２１ｅ、管２２ｅ、管２３ｅ、管２４ｅ、およびベル２５ｅは、この順に連結することによって組み立てられ、演奏される。つまり、組み立てられると楽器２ｅは、マウスピース２１ｅに近い側には管２２ｅが配置され、ベル２５ｅに近い側には管２４ｅが配置される。図１３に示すように、５つの部品の目標温度は、マウスピース２１ｅが最も高く、管２２ｅ、管２３ｅ、管２４ｅ、ベル２５ｅの順で下がっていく。
【００５３】
図１３に示した楽器２ｅは各部品に分解された状態で楽器用収容具１ｅに収容される。図１４は、この変形例に係る楽器用収容具１ｅの外観を示す斜視図である。楽器用収容具１ｅは、外箱部１０１ｅと、外箱部１０１ｅの内側に充填された充填材１０２ｅとをそれぞれ備えた２つの収容具本体１０ｅを開閉可能に組み合わせた構成になっている。充填材１０２ｅには、楽器用収容具１ｅに収容される楽器２ｅの各部品の形状に沿った窪みである収容部１１ｅがそれぞれ設けられている。
【００５４】
図１４に示すように、マウスピース２１ｅ、管２２ｅ、管２３ｅ、管２４ｅ、およびベル２５ｅのそれぞれは、第１収容部１１１ｅ、第２収容部１１２ｅ、第３収容部１１３ｅ、第４収容部１１４ｅ、および第５収容部１１５ｅ（以下、特に区別の必要がない場合は、これらを総称して「収容部１１ｅ」と記す）に収容される。各収容部１１ｅに楽器２ｅの５つの部品がそれぞれ収容された際に、これら５つの収容部１１ｅは図１３に示した目標温度で各部品をそれぞれ加熱する。その結果、収容された各部品の温度分布は、マウスピース２１ｅが最も高く、管２２ｅ、管２３ｅ、管２４ｅ、ベル２５ｅの順で下がっていく温度分布に近づく。
【００５５】
なお、楽器用収容具１ｅはマウスピース２１ｅを収容する収容具であったが、マウスピース２１ｅ以外を収容する収容具であってもよい。この場合、楽器用収容具１ｅは、演奏時に演奏者に接して体温が伝えられる部位を有しない楽器を収容するものである。また、楽器用収容具１ｅは、マウスピースなどの吹込口を備えた管楽器以外にも、例えばギターやヴァイオリンなどの弦楽器やピアノなどの鍵盤楽器を収容してもよい。要するに、楽器２は、楽器用収容具１によって、演奏に適するように決められた温度分布になるものであればよい。
【００５６】
（１３）上述した実施形態において、楽器用収容具１は、２つの収容具本体１０を開閉可能に組み合わせた構成であり、収容具本体１０のそれぞれに設けられた収容部１１には、楽器２を収容する窪みに沿って伝熱材１３が敷設されていた。伝熱材１３の敷設の仕方はこれに限らず、伝熱材１３は、２つの収容具本体１０の収容部１１のうち、いずれか一方に敷設されていればよい。つまり、伝熱材１３は、２つの収容具本体１０を閉じた状態で、楽器２を演奏に適するように決められた温度分布にしておくように敷設されていればよい。この場合、伝熱材１３が敷設されていない側の収容部１１には、例えば断熱材などが設けられていてもよい。
【００５７】
（１４）上述した実施形態において、収容部１１には、楽器２を収容する窪みに沿って伝熱材１３が敷設されていたが、伝熱材１３は、楽器２の形状に沿った部分だけではなく、収容部１１の全体に敷設されてもよい。
【符号の説明】
【００５８】
１（１ａ，１ｂ，１ｃ，１ｄ，１ｅ）…楽器用収容具、１０…収容具本体、１０１…外箱部、１０２…充填材、１１（１１ａ，１１ｂ，１１ｅ）…収容部、１１１…第１伝熱領域、１１２…第２伝熱領域、１１３…第３伝熱領域、１１１ｅ…第１収容部、１１２ｅ…第２収容部、１１３ｅ…第３収容部、１１４ｅ…第４収容部、１１５ｅ…第５収容部、１３（１３ａ，１３ｂ，１３ｃ，１３ｄ）…伝熱材、１３１…第１伝熱材、１３２…第２伝熱材、１３３…第３伝熱材、１４（１４ａ，１４ｂ，１４ｃ，１４ｄ）…電源、１４１…プラグ、１５（１５ａ，１５ｃ，１５ｄ）…温度センサ、１５１…第１温度センサ、１５２…第２温度センサ、１５３…第３温度センサ、１６…通信部、１７…計時部、１９（１９ａ，１９ｂ，１９ｃ，１９ｄ）…制御部、２（２ａ，２ｂ，２ｅ）…楽器、２１…第１領域、２１ｅ…マウスピース、２１０（２１０ａ，２１０ｂ）…マウスピース、２２…第２領域、２２ｅ…管、２３…第３領域、２３０（２３０ａ）…ベル、２３ｅ…管、２４ｅ…管、２５ｅ…ベル、３…温度指示装置、３１…制御部、３２…体温計、３３…通信部
【図１】
2015060103.tif 000003
【図２】
2015060103.tif 000004
【図３】
2015060103.tif 000005
【図４】
2015060103.tif 000006
【図５】
2015060103.tif 000007
【図６】
2015060103.tif 000008
【図７】
2015060103.tif 000009
【図８】
2015060103.tif 000010
【図９】
2015060103.tif 000011
【図１０】
2015060103.tif 000012
【図１１】
2015060103.tif 000013
【図１２】
2015060103.tif 000014
【図１３】
2015060103.tif 000015
【図１４】
2015060103.tif 000016